(57)【要約】【課題】左右いずれの手で操作を行っても、良好な使い勝手が得られる記録装置を提供する。【解決手段】上下反転検出手段１の出力に基づき、左手での操作が確認できれば、カメラ入力部３による撮影映像は、液晶モニタ１３にはそのまま出力する一方、記録装置１２へは撮影映像を回転手段１０により１８０度回転させて記録し、ＯＳＤも回転手段１１により１８０度回転させて撮影映像と混合し、液晶モニタ１３に表示する。また、音声入力部５による音声信号も回転手段９により左右のチャンネルを逆にして記録するとともに、この信号をモニタ用として出力する。【選択図】図１
2009260521.tif 000002
【特許請求の範囲】
【請求項１】
音声を集音する複数個のマイクロホンと、
該複数個のマイクロホンより左右指向性を有する音声信号を合成する音声処理手段と、
装置本体の上下反転を検出する反転検出手段と、
前記反転検出手段の検出結果を基に、前記音声信号の左右を反転する音声回転手段と、
前記音声回転手段の出力を記録媒体に記録する記録手段と、
を備えた記録装置。
【請求項２】
前記複数個のマイクロホンが正面方向に向かって左右対称に配置されたマイクロホンであって、前記音声回転手段がマイクロホン出力の接続を変更することで左右の指向性を反転させる音声回転手段である請求項１記載の記録装置。
【請求項３】
前記複数個のマイクロホンが正面方向に向かって左右対称に配置されたマイクロホンであって、前記音声回転手段が前記音声信号の左右を入れ替えることで左右の指向性を反転させる音声回転手段である請求項１記載の記録装置。
【請求項４】
前記音声回転手段出力をモニタ用音声として取り出す請求項１記載の記録装置。
【請求項５】
被写体を撮像する撮像手段と、
前記撮像手段の出力を画像処理する画像処理手段と、
前記反転検出手段の検出結果に基づき、前記画像処理手段が出力する画像信号を上下反転する画像回転手段とを備え、
前記記録手段は、前記画像回転手段の出力、及び前記音声回転手段の出力を記録媒体に記録する請求項１から請求項４の何れかに記載の記録装置。
【請求項６】
画像信号上に表示する文字情報を含む表示情報を生成するＯＳＤ発生手段と、
前記反転検出手段の検出結果を基に、前記ＯＳＤ発生手段の表示情報の表示方向および表示位置を変更するＯＳＤ回転手段と、
前記画像処理手段が出力する画像信号と前記ＯＳＤ回転手段が出力する表示情報とを合成する混合手段と、
前記混合手段の出力を表示する表示手段と、
を備えた請求項５に記載の記録装置。
【請求項７】
画像信号上に表示する文字情報を含む表示情報を生成するＯＳＤ発生手段と、
前記画像回転手段の出力に対し、前記表示情報を混合する第１の混合手段と、
前記反転検出手段の検出結果を基に、前記ＯＳＤ発生手段の表示情報の表示方向および表示位置を変更するＯＳＤ回転手段と、
前記画像処理手段が出力する画像信号と前記ＯＳＤ回転手段が出力する表示情報とを合成する第２の混合手段と、
前記第２の混合手段の出力を表示する表示手段とを備え、
前記記録手段は、前記第１の混合手段の出力、及び前記音声回転手段の出力を記録する請求項５に記載の記録装置。
【請求項８】
被写体を撮像する撮像手段と、
前記撮像手段の出力を画像処理する画像処理手段と、
音声を集音する複数個のマイクロホンと、
該複数個のマイクロホンより左右指向性を有する音声信号を合成する音声処理手段と、
前記撮像手段の上下反転を検出し、反転フラグを出力する反転検出手段と、
前記反転フラグとともに前記画像回転手段からの映像信号及び前記音声回転手段からの音声信号を記録媒体に記録する記録手段と、
を備えた記録装置。
【請求項９】
前記記録手段より記録内容を読み出し、映像信号及び音声信号をデコードするデコード手段と、
前記記録内容より反転フラグを読み出し、該反転フラグに基づき、前記デコード手段が出力する映像信号と音声信号とを回転させる回転手段と、
を備えた請求項８に記載の記録装置。
【発明の詳細な説明】
【技術分野】
【０００１】
本発明は、ビデオカメラに適応して良好な記録装置に関する。
【背景技術】
【０００２】
近年ビデオカメラでは小型化が進み、片手に収まるほどの大きさのものが数多く市販されている。しかし、その多くは右手で利用しやすいように設計されており、左利きのユーザーに対する配慮がなされていない。他方で、右利きのユーザーおよび左利きのユーザーの双方が利用しやすい携帯型ビデオカメラとして、ビデオカメラ本体とレンズユニットとをそのままにして、ファインダー映像をレンズ光軸を中心に１８０度回転させると共に表示される映像を１８０度回転させることで、左手で持ちながらの撮影も可能にしたビデオカメラが特許文献１に開示されている。
【特許文献１】特開２００６−２８７２８８号公報（第６−７頁、第３図）
【発明の開示】
【発明が解決しようとする課題】
【０００３】
しかしながら、ビデオでは映像と共に音声も記録され、近年ではもっぱらステレオ録音での記録がなされるが、上記特許文献１に開示されたビデオカメラにおいては、音声部に関しては触れられておらず、また、近年では表示部には撮影される映像と共に、例えば日付や録画時間といった撮影情報がＯＳＤ(Ｏｎ  Ｓｃｒｅｅｎ  Ｄｉｓｐｌａｙ)として表示されるが、これらの表示は逆さまに表示されてしまうという課題があった。
【課題を解決するための手段】
【０００４】
この課題を解決するために本発明の記録装置は、音声を集音する複数個のマイクロホンと、該複数個のマイクロホンより左右指向性を有する音声信号を合成する音声処理手段と、装置本体の上下反転を検出する反転検出手段と、前記反転検出手段の検出結果を基に、前記音声信号の左右を反転する音声回転手段と、前記音声回転手段出力を記録媒体に記録する記録手段と、を備えるようにしたものである。
【発明の効果】
【０００５】
本発明の記録装置によれば、左右いずれの手を用いて撮影を行う場合においても、良好な使い勝手を得る被写体の影像、ＯＳＤによる表示、音声信号を正しく記録、モニタすることができる。
【発明を実施するための最良の形態】
【０００６】
（実施の形態１）
図１は、本発明による記録装置の実施の形態１のブロック図である。図１において、上下反転検出手段１が、現在映像記録装置が左右いずれの手で保持されて使用されているかを検出し、向き情報として出力する。ここではユーザーが予め設定するようにしている。上下反転検出手段１の出力をはじめ、ユーザーによる録画開始／終了等の各種命令をマイコン２が検出し、以降述べる各種ブロックに対して制御信号を送出し制御を行う。
【０００７】
カメラ入力部３より出力される映像信号は画像処理手段４で画角調整やフェードイン・フェードアウト処理、リサイズ処理等が行われ、記録用、或いは、モニタ用として出力される。記録用として出力された映像信号は、回転手段１０を経由して記録手段１２によって記録され、また、モニタ用として出力された映像信号は、回転手段１１を経由して出力される後述のＯＳＤ発生手段７によって発生されるＯＳＤ信号と混合回路８によって混合された後、液晶モニタ１３に表示される。
【０００８】
音声入力部５により取り込まれた音声信号は、音声処理手段６によってステレオ化処理が行われる。ここでは、音声入力部５では２個の単一指向性マイクロホンを用い、ステレオ収音を行っている。音声処理手段６が録画開始・終了に同期してフェードイン／フェードアウト処理を施して出力するようにしている。
【０００９】
次に図１に示される映像記録装置の動作について図６とともに説明する。ユーザーによって録画が開始されると、マイコン２が上下反転検出手段１より上下反転状態であるかどうかを検出する。カメラ入力部３、音声入力部５より出力される映像信号、音声信号はそれぞれ回転手段１０、９を介して記録手段１２に与えられる。
【００１０】
また、ＯＳＤ発生手段７は、記録開始に伴い、マイコン２より現在“録画中”であることを意味する表示と、記録時間、記録日時等を示す映像信号を発生する。この映像信号は回転手段１１を介して画像処理手段４より出力されるモニタ用映像信号と混合回路８により混合され、液晶モニタ１３に表示される。
【００１１】
今仮にユーザーが右手で操作していたとすると、ユーザーは図６において、グリップバンド６１に右手の指を通し、図６（Ａ）に示す向きで映像記録装置を使用する。上下反転検出手段１は向き情報として上下反転されていないことを示す信号を出力するので、これによりマイコン２は回転手段９、１０、１１に対し、信号をそのまま出力すべく制御信号を与える。
【００１２】
ＯＳＤ発生手段７は、図６（Ａ）に示すように、“録画中”を示す印６４と、録画日６３を液晶モニタ６２に表示すべくＯＳＤ信号を発生し、それらは向きを変えることなく液晶モニタ６２に表示される。また、カメラ入力部３、音声入力部５から出力される映像信号、音声信号も反転されることなくそのまま記録手段１２、液晶モニタ１３に与えられる。
【００１３】
次に、ユーザーが左手で操作していたとすると、ユーザーは図６において、グリップバンド６１に左手の指を通し、図６（Ｂ）に示す向きで映像記録装置を使用する。上下反転検出手段１は向き情報として上下反転されていることを示す信号を出力するので、これによりマイコン２は回転手段９、１０、１１に対し、信号を回転して出力すべく制御信号を与える。
【００１４】
この際、液晶モニタ６２には、図６（Ｂ）に示すように、“録画中”を示す印６４と、録画日６３とが、表示方向、表示位置を変えて表示される。これにより、上下反転時にも、液晶モニタ６２には、適切なＯＳＤ表示がなされ、ユーザの使い勝手が向上する。
【００１５】
記録手段１２によって記録される映像信号、音声信号は、再生時に正しい向きで再生されることが基本となる。再生時には、記録再生装置の向きは図６（Ａ）であり、この向きで再生したときに正しく表示されなければならない。故に、記録手段１２は反転手段１０によって１８０度回転された映像信号と左右が反転された音声信号とを記録することになるが、映像記録装置自体が撮影時に１８０度回転されているので、カメラ入力部３の出力は１８０度回転された映像となっており、マイクロホンの位置も映像記録装置の回転に伴い左右が逆転するので音声入力部５の出力も左右が逆になっている。このため、回転手段９、１０によって映像・音声の向きが正しい方向となって記録手段１２に記録される。
【００１６】
これにより、図６（Ｂ）に示す状態で記録を行った映像・音声について、図６（Ａ）に示す状態で再生する際にも、映像・音声は正しい方向で再生される。
【００１７】
一方、液晶モニタ１３に表示される映像信号は回転されることなく表示することでユーザーにとって正しい方向で表示される。逆に、ＯＳＤ発生手段７が発生する“録画中”を示す印と、録画日を含むＯＳＤ信号は、映像記録装置それ自体の向きを基準として発生されるため、映像記録装置を図６（Ｂ）の如く１８０度回転するとＯＳＤ表示もそれに伴って回転する。故に、ＯＳＤ信号は回転手段１１によって１８０度回転された後、混合回路８によって映像信号と混合された上で液晶モニタ１３に表示することによってユーザーにとって見やすい向きで表示される。
【００１８】
なお、図１では音声処理手段６の出力を回転手段９を用いて左右を反転するようにしたが、図３に示すように音声入力部５の出力であるマイクロホン出力の左右を反転するようにしても良い。つまり、右手で使用時には、スイッチ３１、３２が端子Ａ側に与えられる信号を出力するよう制御信号を発生し、左手で使用時には、スイッチ３１、３２が端子Ｂ側に与えられる信号を出力するよう制御信号を発生する、というものである。このように構成することによっても、記録手段１２に記録される音声信号の左右を反転させることができる。
（実施の形態２）
図２は、本発明による記録装置の実施の形態２のブロック図である。この図は、ＯＳＤ発生手段１７が液晶モニタ１３用と記録用の２種類のＯＳＤ信号を発生し、記録用のＯＳＤ信号を映像信号と混合して記録する場合の実施例である。例えば、録画日時を映像として記録したい場合とかがこれに相当する。なお、この図において、これまでに説明してきたものと同一機能を有するものについては同一の符号を付し細かな説明は省略する。
【００１９】
左手で使用時、カメラ入力部３の出力に対してＯＳＤ信号を混合する時は、映像処理手段４の出力を回転手段１０により１８０度回転させ、その信号に対して回転させていないＯＳＤ信号を加算する。前述のように、映像記録装置それ自体の向きを基準として発生されるため、このように記録することにより再生時に正しく再生させることができる。
（実施の形態３）
図１、図２に示す実施例では、録画時に映像信号、音声信号の向きを調整して記録するようにしているが、右手、左手による向きの調整を録画時には何も行わず、再生時に補正を行うようにしても映像信号、音声信号を正しく再生することが可能である。
【００２０】
即ち、図１の記録時において、上下反転検出手段１による向き情報をマイコン２が記録手段１２にナビデータとして記録しておく。回転手段９、１０、１１はすべて入力される信号をそのまま手を加えず出力する。
【００２１】
再生時にマイコン２がナビデータより向き情報を読み取り、上下反転されている場合は、再生すべき映像信号を１８０度回転すると共に音声信号の左右を入れ替えて出力するものである。これによっても左手を用いて録画した映像を正しく再生できる。
【００２２】
以上述べたように、本発明による映像記録装置は、左右いずれの手を用いて録画した場合であっても、被写体の映像、ＯＳＤによる表示、音声信号を正しく記録、モニタすることがが可能となる。
【００２３】
なお、上記実施例においては、上下反転検出手段１はユーザーによる設定としたが、加速度センサー、錘により動作するスイッチ等を用いて、どちらの手で保持されているかを自動的に検出するようにしても良いことは言うまでもない。
【００２４】
また、音声入力部５として２個の単一指向性マイクロホンを用いての収音を行うようにしたが、無論これに限ったものではなく、無指向性マイクロホン３個、或いは、無指向性マイクロホン４個を用い、例えば図５（Ａ）或いは（Ｂ）に示すように配置して収音を行い、音声処理手段６で、入力されるマイクロホン出力より前方ＬＲ、後方ＬＲと前方中央、超低音の音を取り出し、５．１チャンネルサラウンド音声を合成の上、フェードイン／フェードアウト処理を施して出力するようにしても良いものである。この場合、３個、或いは４個の無指向性マイクロホンよりどのようにして５．１チャンネルサラウンド音声を合成するかについては、例えば特開２００２−２３２９８８号公報、或いは特開２００２−２２３４９３号公報に示されているので詳細な説明は省略する。
【００２５】
或いは図５（Ｃ）に示すように５個の無指向性マイクロホンを配置して収音を行い、音声処理手段６で、入力されるマイクロホン出力より前方ＬＲ、後方ＬＲと前方中央、超低音の音を取り出し、５．１チャンネルサラウンド音声を合成の上、フェードイン／フェードアウト処理を施して出力するようにしても良いものである。ここでは、切換手段５０を用い、マイクロホン出力を上下反転検出手段１による制御信号で切り替えるようにしている。
【００２６】
これらの場合であっても、切換手段５０を用いず、音声処理手段６によって５．１チャンネルサラウンド音声を合成後に左右の入れ替えを行うようにしても良いことはいうまでもない。その場合の回転手段９の具体的な実施例を図４に示す。センターチャンネル音声（Ｃｃｈ音声と表記）と超低域音声（ＬＦＥｃｈ音声と表記）は何ら変化を加えることなく出力する一方、前方右チャンネル（Ｒｃｈ音声と表記）と前方左チャンネル（Ｌｃｈ音声と表記）は制御信号に基づきスイッチ４１、４２によって左右を入れ替えて記録手段１２へ出力している。また、後方右チャンネル（ＳＲｃｈ音声と表記）と後方左チャンネル（ＳＬｃｈ音声と表記）も制御信号に基づきスイッチ４３、４４によって左右を入れ替え、記録手段１２へ出力している。
【００２７】
このように、上下反転時に、音声信号を左右反転して記録することによって、正しい指向性を持った音声信号を記録することができる。
【産業上の利用可能性】
【００２８】
本発明にかかる記録装置は、ビデオムービーのみならず、デジタルカメラ等の静止画をステレオ音声とともに記録する機器にも適用でき、有用である。
【図面の簡単な説明】
【００２９】
【図１】本発明の実施の形態１に於ける記録装置の構成を示すブロック図
【図２】本発明の実施の形態２に於ける記録装置の構成を示すブロック図
【図３】２チャンネル記録時における回転手段の具体例を示すブロック図
【図４】５．１チャンネル記録時における回転手段９の具体例を示すブロック図
【図５】複数個のマイクロホンを用いて５．１チャンネル収音を行う場合における回転手段の具体例を示すブロック図
【図６】本発明の実施形態における記憶装置の使用状態を示す図
【符号の説明】
【００３０】
１    上下反転検出手段
３    カメラ入力部
４    画像処理手段
５    音声入力部
６    音声処理手段
９〜１１    回転手段
１２    記録手段
５０    切換手段
【図１】
2009260521.tif 000003
【図２】
2009260521.tif 000004
【図３】
2009260521.tif 000005
【図４】
2009260521.tif 000006
【図５】
2009260521.tif 000007
【図６】
2009260521.tif 000008